【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
ユーザによる軌跡入力操作に基づいて、軌跡を入力する軌跡入力手段と、
前記軌跡入力手段で入力された軌跡を画面上に表示する表示手段と、
前記軌跡入力手段で入力された軌跡を認識する軌跡認識手段と、
前記軌跡認識手段で認識された軌跡に予め対応付けられた次の軌跡を入力するために必要な領域が、前記画面上に表示されていなければ、前記表示手段が前記画面上に表示する前記軌跡入力手段で入力された軌跡を含む内容を変更して、前記画面上に前記次の軌跡を入力するために必要な領域を表示させる表示変更手段と、
を有する情報処理装置。
【請求項２】
前記表示変更手段は、前記軌跡認識手段で認識された軌跡に予め対応付けられた次の軌跡を入力するために必要な領域が、前記画面上に表示されていなければ、前記軌跡入力手段で入力された軌跡の大きさを変更することによって、前記画面上に前記次の軌跡を入力するために必要な領域を表示させる請求項１記載の情報処理装置。
【請求項３】
前記表示変更手段は、前記軌跡認識手段で認識された軌跡に予め対応付けられた次の軌跡のうち、前記軌跡認識手段で認識された軌跡の内側に入力される次の軌跡を入力するために必要な領域の大きさが、前記軌跡入力手段で入力された軌跡の大きさより大きい場合、前記軌跡入力手段で入力された軌跡の大きさを拡大することによって、前記軌跡入力手段で入力された軌跡の内側に、前記次の軌跡を入力するために必要な領域を表示させる請求項１又は２記載の情報処理装置。
【請求項４】
前記表示変更手段は、前記軌跡入力手段で入力された軌跡の大きさが、前記軌跡認識手段で認識された軌跡に予め対応付けられた次の軌跡のうち、前記軌跡認識手段で認識された軌跡の外側に入力される次の軌跡を入力するために必要な領域の大きさよりも大きい場合、前記軌跡入力手段で入力された軌跡の大きさを縮小することによって、前記軌跡入力手段で入力された軌跡の外側に、前記次の軌跡を入力するために必要な領域を表示させる請求項１又は２記載の情報処理装置。
【請求項５】
前記表示変更手段は、前記軌跡認識手段が認識した軌跡に、次の軌跡が予め対応付けられていない場合、前記軌跡入力手段で入力された軌跡の大きさを変更しない請求項３又は４記載の情報処理装置。
【請求項６】
前記軌跡入力手段は、入力する軌跡の幅を検知する検知手段を有し、
前記表示変更手段は、前記軌跡認識手段で認識された軌跡に予め対応付けられた次の軌跡を、前記検知手段で検知した幅で入力するために必要な領域が、前記画面上に表示されていなければ、前記表示手段が前記画面上に表示する前記軌跡入力手段で入力された軌跡を含む内容を変更する請求項１又は２記載の情報処理装置。
【請求項７】
前記表示変更手段は、前記検知手段で検知された軌跡の幅の、予め定められた基準の線幅に対する倍率を求め、前記倍率に応じて、前記軌跡入力手段で入力された軌跡の大きさを変更することによって、前記画面上に前記次の軌跡を入力するために必要な領域を表示させる請求項６記載の情報処理装置。
【請求項８】
前記表示変更手段は、前記表示手段によって画面上に表示されているデータ上で、前記軌跡入力手段で軌跡が入力された場合、前記軌跡入力手段で入力された軌跡の大きさを変更する倍率と同じ倍率で、前記データの大きさを変更する請求項１乃至７の何れか１項記載の情報処理装置。
【請求項９】
前記表示変更手段は、前記軌跡入力手段で入力された軌跡の大きさを変更すると共に、前記軌跡を表示する前記画面上の位置を変更する請求項１乃至８の何れか１項記載の情報処理装置。
【請求項１０】
前記表示変更手段は、前記表示手段によって画面上に表示されているデータ上で、前記軌跡入力手段で軌跡の入力がなされた場合、前記軌跡入力手段で入力された軌跡の大きさを変更する倍率と同じ倍率で、前記データの大きさを変更すると共に、前記軌跡と、前記データと、の表示の位置を変更する請求項８記載の情報処理装置。
【請求項１１】
前記表示変更手段は、前記軌跡認識手段で認識された軌跡に予め対応付けられた次の軌跡を入力するために必要な領域が、前記画面上に表示されていなければ、前記軌跡入力手段で入力された軌跡を表示する前記画面上の位置を変更することによって、前記画面上に前記次の軌跡を入力するために必要な領域を表示させる請求項１記載の情報処理装置。
【請求項１２】
ユーザによる軌跡入力操作に基づいて、軌跡を入力する軌跡入力手段と、
前記軌跡入力手段で入力された軌跡を画面上に表示する表示手段と、
前記軌跡入力手段で入力された軌跡を認識する軌跡認識手段と、
前記軌跡認識手段によって、曲線を示す軌跡が認識された場合に、前記曲線を示す軌跡に予め対応付けられた文字を示す軌跡を入力するために必要な領域が、前記画面上で前記曲線を示す軌跡の内側に表示されていなければ、前記軌跡入力手段で入力された前記曲線を示す軌跡の大きさを拡大することによって、前記軌跡入力手段で入力された曲線を示す軌跡の内側に、前記文字を示す軌跡を入力するために必要な領域を表示させる表示変更手段と、
前記軌跡認識手段によって、前記曲線を示す軌跡の次に入力された文字を示す軌跡が認識されたことに応じて発行されたコマンドを処理する処理手段と、
を有する情報処理装置。
【請求項１３】
情報処理装置が実行する情報処理方法であって、
ユーザによる軌跡入力操作に基づいて、軌跡を入力する軌跡入力ステップと、
前記軌跡入力ステップで入力された軌跡を画面上に表示する表示ステップと、
前記軌跡入力ステップで入力された軌跡を認識する軌跡認識ステップと、
前記軌跡認識ステップにおいて認識された軌跡に予め対応付けられた次の軌跡を入力するために必要な領域が、前記画面上に表示されていなければ、前記表示ステップで前記画面上に表示される前記軌跡入力ステップにおいて入力された軌跡を含む内容を変更して、前記画面上に前記次の軌跡を入力するために必要な領域を表示させる表示変更ステップと、
を含む情報処理方法。
【請求項１４】
情報処理装置が実行する情報処理方法であって、
ユーザによる軌跡入力操作に基づいて、軌跡を入力する軌跡入力ステップと、
前記軌跡入力ステップで入力された軌跡を画面上に表示する表示ステップと、
前記軌跡入力ステップで入力された軌跡を認識する軌跡認識ステップと、
前記軌跡認識ステップによって、曲線を示す軌跡が認識された場合に、前記曲線を示す軌跡に予め対応付けられた文字を示す軌跡を入力するために必要な領域が、前記画面上で前記曲線を示す軌跡の内側に表示されていなければ、前記軌跡入力ステップで入力された前記曲線を示す軌跡の大きさを拡大することによって、前記軌跡入力ステップで入力された曲線を示す軌跡の内側に、前記文字を示す軌跡を入力するために必要な領域を表示させる表示変更ステップと、
前記軌跡認識ステップによって、前記曲線を示す軌跡の次に入力された文字を示す軌跡が認識されたことに応じて発行されたコマンドを処理する処理ステップと、
を含む情報処理方法。
【請求項１５】
コンピュータを、
ユーザによる軌跡入力操作に基づいて、軌跡を入力する軌跡入力手段と、
前記軌跡入力手段で入力された軌跡を画面上に表示する表示手段と、
前記軌跡入力手段で入力された軌跡を認識する軌跡認識手段と、
前記軌跡認識手段で認識された軌跡に予め対応付けられた次の軌跡を入力するために必要な領域が、前記画面上に表示されていなければ、前記表示手段が前記画面上に表示する前記軌跡入力手段で入力された軌跡を含む内容を変更して、前記画面上に前記次の軌跡を入力するために必要な領域を表示させる表示変更手段と、
として機能させるためのプログラム。
【請求項１６】
コンピュータを、
ユーザによる軌跡入力操作に基づいて、軌跡を入力する軌跡入力手段と、
前記軌跡入力手段で入力された軌跡を画面上に表示する表示手段と、
前記軌跡入力手段で入力された軌跡を認識する軌跡認識手段と、
前記軌跡認識手段によって、曲線を示す軌跡が認識された場合に、前記曲線を示す軌跡に予め対応付けられた文字を示す軌跡を入力するために必要な領域が、前記画面上で前記曲線を示す軌跡の内側に表示されていなければ、前記軌跡入力手段で入力された前記曲線を示す軌跡の大きさを拡大することによって、前記軌跡入力手段で入力された曲線を示す軌跡の内側に、前記文字を示す軌跡を入力するために必要な領域を表示させる表示変更手段と、
前記軌跡認識手段によって、前記曲線を示す軌跡の次に入力された文字を示す軌跡が認識されたことに応じて発行されたコマンドを処理する処理手段と、
として機能させるためのプログラム。
【請求項１７】
請求項１５又は１６記載のプログラムを記憶したコンピュータが読み取り可能な記憶媒体。
【手続補正２】
【補正対象書類名】明細書
【補正対象項目名】００１１
【補正方法】変更
【補正の内容】
【００１１】
そこで、本発明の情報処理装置は、ユーザによる軌跡入力操作に基づいて、軌跡を入力する軌跡入力手段と、前記軌跡入力手段で入力された軌跡を画面上に表示する表示手段と、前記軌跡入力手段で入力された軌跡を認識する軌跡認識手段と、前記軌跡認識手段で認識された軌跡に予め対応付けられた次の軌跡を入力するために必要な領域が、前記画面上に表示されていなければ、前記表示手段が前記画面上に表示する前記軌跡入力手段で入力された軌跡を含む内容を変更して、前記画面上に前記次の軌跡を入力するために必要な領域を表示させる表示変更手段と、を有する。
また、本発明は、情報処理方法、プログラム及び記憶媒体としてもよい。